(57)【特許請求の範囲】
【請求項１】
第１の梁材と第２の梁材とを梁の一部として有する屋根架構の構築方法であって、
前記第１の梁材に、支持材に接続される前記第２の梁材をリンク結合による第１の接続部を介して接続する第１のステップと、
前記第１の接続部に対して下方向に延在して接続された束材に第１のテンション材の中間部を接続する第２のステップと、
前記第１のテンション材の第１の端部を前記第１の梁材に接続する第３のステップと、
前記第１のテンション材の第２の端部を、前記第１の接続部に対して反対側に位置する前記第２の梁材の端部方向に引張り、前記第２の梁材を前記支持材との接続部を中心にして回転させながら前記第１の接続部と共に前記第１の梁材を上昇させる第４のステップと、
前記第１の梁材が所定の位置に到達した後、前記第１のテンション材の前記第２の端部を前記第２の梁材に固定する第５のステップと
を含むことを特徴とする、屋根架構の構築方法。
【請求項２】
前記支持材と前記第２の梁材とは、可動支持部によって接続され、
前記第４のステップでは、前記第１の梁材の上昇と共に、前記第２の梁材が前記支持材に対して前記梁の長軸方向に移動することを特徴とする、請求項１に記載の屋根架構の構築方法。
【請求項３】
前記支持材は、前記梁の一部であって別の支持材に接続される第３の梁材であり、
前記第２の梁材に、前記第３の梁材をリンク結合による第２の接続部を介して接続する第６のステップと、
前記第２の接続部に対して下方向に延在して接続された束材に第２のテンション材の中間部を接続する第７のステップと、
前記第２のテンション材の第１の端部を前記第２の梁材に接続する第８のステップと、
前記第２のテンション材の第２の端部を、前記第２の接続部に対して反対側に位置する前記第３の梁材の端部方向に引張り、前記第３の梁材を前記別の支持材との接続部を中心にして回転させながら前記第２の接続部と共に前記第２の梁材を上昇させる第９のステップと、
前記第２の梁材が所定の位置に到達した後、前記第２のテンション材の前記第２の端部を前記第３の梁材に固定する第１０のステップと
をさらに含むことを特徴とする、請求項１に記載の屋根架構の構築方法。
【請求項４】
前記支持材として機能する梁材と、該梁材によって上昇させられる別の梁材とが連設されて前記梁が構成されることを特徴とする、請求項３に記載の屋根架構の構築方法。
【請求項５】
互いに隣接して設置される複数の前記梁上に屋根面が形成されることを特徴とする、請求項３または４に記載の屋根架構の構築方法。
【請求項６】
前記屋根面は、前記複数の梁のそれぞれに対応する領域に分けることができ、
前記第４のステップおよび前記第９のステップのうちの少なくとも一方は、前記複数の領域それぞれで行われることを特徴とする、請求項５に記載の屋根架構の構築方法。
【請求項７】
前記複数の梁は、互いに平行であることを特徴とする、請求項５に記載の屋根架構の構築方法。
【請求項８】
前記第１のテンション材の前記第１の端部と前記第１の梁材とは、前記第１の梁材の端部側又は前記第１の梁材の中間部で接続され、前記第１のテンション材の前記第２の端部と前記第２の梁材とは、前記第２の梁材の端部側又は前記第２の梁材の中間部で接続されることを特徴とする、請求項１〜７のいずれか１項に記載の屋根架構の構築方法。
【請求項９】
前記第１のテンション材は、
一端が前記束材と接続され、他端が前記第１の梁材と接続される第３のテンション材と、
一端が前記束材と接続され、他端が前記第２の梁材と接続される第４のテンション材と、
を備えることを特徴とする、請求項１〜８のいずれか１項に記載の屋根架構の構築方法。
【請求項１０】
前記第１のテンション材は、ロッドまたはワイヤロープであることを特徴とする、請求項１〜９のいずれか１項に記載の屋根架構の構築方法。
【請求項１１】
第１の梁材と第２の梁材とを梁の一部として有する屋根架構であって、
前記第１の梁材に、支持材に接続される前記第２の梁材をリンク結合させる接続部と、
前記接続部に対して下方向に延在して接続された束材と、
一端が前記第１の梁材と接続され、中間部が前記束材に接続され、他端が前記接続部に対して反対側に位置する前記第２の梁材の端部方向に引っ張られることによって前記第２の梁材が前記支持材との接続部を中心にして回転して前記接続部と共に前記第１の梁材を上昇させ、前記第１の梁材が設置位置に到達した後に前記他端が前記第２の梁材に固定されるテンション材と
を備えることを特徴とする、屋根架構。
【発明の詳細な説明】
【技術分野】
【０００１】
本発明は、屋根架構の構築方法及び屋根架構に関する。
【背景技術】
【０００２】
建築物、特にスタジアム、体育館、展示ホールなどの大空間建築物では、一般に空間内に屋根を支持する柱が立接しないように、屋根の架構構造は、力学的に効率が良い構成となっている。屋根の架構構造には、例えば、トラス構造、張弦梁構造、膜構造、吊構造などがある。
【０００３】
例えば、張弦梁構造は、上弦材と、上弦材から下方に延設した束材と、一端部で上弦材と接続され他端部で束材の先端側と接続されるテンション材等から構成される。特許文献１には、張弦梁構造の一例が開示されている。
【０００４】
また、上記の屋根架構の施工方法には、例えば、屋根架構が設置される高さまで仮設足場を組み上げて、仮設足場上で屋根架構の構成部材を組み合わせる方法がある。また、別の方法として、屋根架構を地上で組み立てた後、屋根架構の全体又は一部を設置高さまで吊り上げる方法がある。例えば、特許文献２では、ドーム形状の屋根架構を吊り上げる施工方法が開示されている。
【０００５】
【特許文献１】特開平９−１５８３８７号公報
【特許文献２】特開平７−３１７１９４号公報
【発明の開示】
【発明が解決しようとする課題】
【０００６】
ところで、屋根架構の施工方法のうち、仮設足場を屋根架構の設置高さまで組み上げる施工方法では、仮設足場を屋根の下面まで組み上げる必要があるため、工費と時間がかかるという問題があった。
【０００７】
また、地上で屋根架構を組み立てた後、屋根架構の全体又は一部を設置高さまで吊り上げるでは、屋根架構自体が相当な重量を有するため、吊り上げ作業が大掛かりになり、工費がかかるという問題があった。また、吊り上げ作業の際、屋根架構の重量に耐えられる揚重装置を使用する必要があり、安全面についても十分な考慮をしなければならないという問題があった。
【０００８】
そこで、本発明は、上記問題に鑑みてなされたものであり、本発明の目的とするところは、仮設足場の設置高さを低減させることができ、簡潔に屋根架構を構築することが可能な、新規かつ改良された屋根架構の構築方法及び屋根架構を提供することにある。
【課題を解決するための手段】
【０００９】
上記課題を解決するために、本発明のある観点によれば、梁の一部を構成する第１の梁材と第２の梁材とをリンク結合による接続部を介して接続する第１のステップと、接続部に対して下方向に延在して接続された束材にテンション材を接続する第２のステップと、テンション材の第１の端部を第１の梁材に接続する第３のステップと、テンション材の第２の端部を接続部に対して反対側に位置する第２の梁材の端部方向に引張り、接続部と共に第１の梁材と第２の梁材を上昇させる第４のステップと、第１の梁材と第２の梁材が設置位置に到達した後、テンション材の第２の端部を第２の梁材に固定する第５のステップとを含むことを特徴とする屋根架構の構築方法が提供される。
【００１０】
かかる構成により、第１の梁材と第２の梁材を屋根架構の設置位置よりも低い状態で接続することができ、その後テンション材にテンションを導入することで第１の梁材と第２の梁材を上昇させることができるので、仮設足場の高さを低減することができる。
【００１１】
上記第４のステップは、第１の梁材及び第２の梁材の上昇と共に、梁の一端が梁の長軸方向に移動するものであってもよい。かかる構成により、梁の両端が固定している場合と比較して、第１の梁材及び第２の梁材の上昇高さをより大きくすることかできる。
【００１２】
１単位が、第１の梁材と第２の梁材とから構成され、１単位が梁の長軸方向に複数連設しているものであってもよい。また、上記１単位を１／２単位ずつ重複させ複数単位連設して梁が構成されるものであってもよい。かかる構成により、テンション材にテンションを導入することで、複数の１単位のそれぞれの第１の梁材と第２の梁材を確実に上昇させることができる。
【００１３】
上記１単位が連設されてなる梁に隣接して、別の１単位が連接されてなる梁が設置されて、複数の梁上に屋根面が形成されるものであってもよい。また、上記屋根面は、梁の長軸方向に１単位毎に複数の領域に分けることができ、第４のステップは、複数の領域それぞれで行われるものであってもよい。
【００１４】
上記屋根面は、互いに隣接する複数の領域に分けることができ、第４のステップは、複数の領域それぞれで行われるものであってもよい。
【００１５】
上記１単位が連設されてなる梁と、別の１単位が連接されてなる梁は、平行であってもよい。かかる構成により、梁材が弓形形状であれば、円筒面形状の屋根架構となり、梁材が直線形状であれば、陸屋根形状の屋根架構となる。
【００１６】
上記互いに隣接する複数の領域は、梁の長軸方向と直交する方向に分けられた領域であってもよい。かかる構成により、第１の梁材、第２の梁材を上昇させるときの屋根面の重量を軽量化させることができる。
【００１７】
上記テンション材の第１の端部と第１の梁材は、第１の梁材の端部側又は第１の梁材の中間部で接続され、テンション材の第２の端部と第２の梁材は、第２の梁材の端部側又は第２の梁材の中間部で接続されるものであってもよい。
【００１８】
上記テンション材は、一端が束材と接続され、他端が第１の梁材と接続される第１のテンション材と、一端が束材と接続され、他端が第２の梁材と接続される第２のテンション材とを備えるものであってもよい。また、上記テンション材は、ロッドまたはワイヤロープであってもよい。
【００１９】
また、上記課題を解決するために、本発明の別の観点によれば、梁の一部を構成する第１の梁材と、第１の梁材と接続された第２の梁材と、第１の梁材と第２の梁材との接続部分の下方に延在された束材と、接続部分に設けられ、第１の梁材と第２の梁材とをリンク結合させる接合部と、一端が第１の梁材と接続され、他端が束材を介して第２の梁材と接続されてテンションが導入されるテンション材とを備えることを特徴とする屋根架構が提供される。
【発明の効果】
【００２０】
本発明によれば、仮設足場の設置高さを低減させることができ、簡潔に屋根架構を構築することができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
（第１の実施形態の構成）
まず、本発明の第１の実施形態に係る屋根架構の構成について説明する。図１は、本実施形態に係る屋根架構を示す側面図である。図２は、本実施形態に係る屋根架構を示す平面図である。図３は、本実施形態に係る屋根架構を示す断面図であり、梁の長軸方向に対して垂直に切断した図である。
【００２３】
屋根架構１００は、図１に示すように、梁材１０２、１０４、１０６と、梁材１０２、１０４（又は梁材１０２、１０６）との接続部に設けられたヒンジ１３０と、ヒンジ１３０から下方向に延設された束材１２０と、束材１２０と梁材１０２、１０４とに接続されたロッド１１０と、支持部１４０、１４２などを有する。また、屋根架構１００は、図２に示すように、梁材１０２、１０４、１０６（以下、総称して梁ともいう。）と桁材１５０とを有し、梁は、例えば、梁の長軸方向に対して直交方向に互いに隣接して複数設置される。
【００２４】
また、屋根架構１００は、梁材１０２と梁材１０４（又は梁材１０２と梁材１０６）を１単位とする架構を有する。１単位が梁の長軸方向に複数単位連設して梁が構成されており、１単位を１／２単位ずつ重複させて梁が構成される。ここで、１／２単位とは、梁材１０２、梁材１０４（又は梁材１０２、梁材１０６）のいずれか一方であり、図１に示す例では、梁材１０２が該当する。
【００２５】
１単位が連設されてなる梁に隣接して、別の１単位が連接されてなる梁が設置されて、複数の梁上に屋根面が形成される。そして、図６に示すように、屋根面のうち、隣接する複数の梁材１０２と桁材１５０から構成される領域を梁部材１２という。また、同様に、隣接する複数の梁材１０４と桁材１５０から構成される領域を梁部材１４といい、隣接する複数の梁材１０６と桁材１５０から構成される領域を梁部材１６という。また、この屋根面は、梁の長軸方向に１単位毎に複数の領域に分けることができる。即ち、１の領域は、梁部材１２と梁部材１４からなる領域であり、別の領域は、梁部材１２と梁部材１６からなる領域である。
【００２６】
なお、本発明における第１の梁材、第２の梁材は、梁材１０２、１０４、１０６などの梁材を指す場合と、梁部材１２、１４、１６などの領域を指す場合がある。例えば、梁材１０２、１０４、１０６が、第１の梁材、第２の梁材の一例である場合は、ロッド１１０が、梁に対して平行に設置される。即ち、任意の束材１２０と接続されたロッド１１０の両端部は、当該束材１２０に接続された梁材１０２、１０４、１０６に接続される。一方、梁部材１２、１４、１６が、第１の梁材、第２の梁材の一例である場合は、ロッド１１０が、梁に対して斜めに設置される場合も含む。即ち、任意の束材１２０と接続されたロッド１１０の両端部は、必ずしも当該束材１２０と接続された梁材１０２、１０４、１０６に接続される必要はなく、その梁材１０２、１０４、１０６と隣接する別の梁材１０２、１０４、１０６に接続される場合も含まれる。
【００２７】
梁材１０２、１０４、１０６の上面と桁材１５０の上面からなる面に屋根材（図示せず。）が載置されて建築物の屋根が構成される。屋根材は、例えば、金属、ガラスなど屋根材として一般的に適用されるものを使用することができる。
【００２８】
梁材１０２は、両端にヒンジ１３０が設けられ、ヒンジ１３０を介して、梁材１０４と梁材１０６とに接続される。また、梁材１０２は、両端でガセットプレート１２４を介してロッド１１０を支持する。梁材１０４は、一端で梁材１０２と接続され、他端で固定支持部１４０と接続される。梁材１０６は、一端で梁材１０２と接続され、他端で可動支持部１４２と接続される。また、梁材１０４、１０６は、一端でガセットプレート１２４を介してロッド１１０を支持する。
【００２９】
ロッド１１０は、例えば、金属製の棒部材であり、テンション材の一例である。ロッド１１０は、一端１１０ａに設けられた接合部材１１２と、接合部材１２２を介して束材１２０と接続され、他端１１０ｂに設けられた接合部材１１２とガセットプレート１２４を介して梁材１０２、１０４に接続される。ロッド１１０にテンションが導入されることによって、屋根架構１００が安定的に固定される。テンションは、図示しないがロッドの中間部に設けられるターンバックルなどによって導入されてもよい。
【００３０】
接合部材１１２と接合部材１２２との接合、接合部材１１２とガセットプレート１２４との接合は、例えばボルト接合１１４によって行われる。
【００３１】
束材１２０は、梁から下方向に延設された部材であり、一端は梁、例えば２つの梁材１０２、１０４（又は梁材１０２、１０６）の接合部分と接続され、他端は接合部材１２２を介して２つのロッド１１０と接続される。束材１２０は、梁の接線方向に対して垂直方向（法線方向）に延設されてもよいし、この例に限定されず、梁に対して下方向であれば任意の方向に延設されてもよい。接合部材１２２は、中間部で束材１２０と接続され、両端部でロッド１１０と接続される。
【００３２】
ヒンジ１３０は、例えば接続部の一例であり、梁材１０２と梁材１０４の接続部分、梁材１０２と梁材１０４の接続部分に設けられる。梁材１０２、１０４、１０６は、それぞれヒンジ１３０を中心として回転可能である。ヒンジ１３０は、隣接する梁材１０２、１０４、１０６それぞれをリンク結合によって接続する。
【００３３】
固定支持部１４０は、梁材１０４の一端部１０４ａに設けられる。固定支持部１４０は、屋根架構１００の構築時は、固定されている。一端部１０４ａでは、梁材１０４と固定支持部１４０とはリンク結合される。
【００３４】
可動支持部１４２は、梁材１０６の一端部１０６ａに設けられる。可動支持部１４２は、屋根架構１００の構築時に、梁の長軸方向に移動可能に形成される。例えば、可動支持部１４２には、図１に示すように一端部１０６ａのピンが貫通してスライド可能なように貫通孔１４３が設けられる。一端部１０６ａでは、梁材１０６と可動支持部１４２とはリンク結合される。なお、固定支持部１４０と、可動支持部１４２を総称して、以下では支持部ともいう。
【００３５】
桁材１５０は、隣接する梁材１０２、１０４、１０６を相互に結合させる。桁材１５０は、例えば、梁が平行に配置されているとき、図２に示すように梁に対して垂直方向に配置される。
【００３６】
接合プレート１５２は、梁材１０２と梁材１０４（又は梁材１０２と梁材１０６）を接合し、更に隣接する梁材１０２同士、梁材１０４同士（又は梁材１０６同士）を結合する。接合プレート１５４は、隣接する梁材１０２同士、梁材１０４同士（又は梁材１０６同士）を結合する。
【００３７】
なお、図１〜図３では、テンション材がロッド１１０である場合について説明したが、本発明はかかる例に限定されない。例えば、図５に示すように、テンション材は、例えば鋼製のワイヤロープ２１０であってもよい。ワイヤロープ２１０と束材２２０は、例えば束材２２０に貫通孔２２２が設けられて、貫通孔２２２にワイヤロープ２１０を貫通させることで接続される。また、ワイヤロープ２１０と梁材１０２、１０４、１０６との接続は、例えば、ワイヤロープ２１０の端部にソケット加工、シングルロック加工、トヨロック加工などの端部加工を施すことによって、ワイヤロープ２１０と梁材１０２、１０４、１０６が互いに接続される。
【００３８】
また、図５に示すように、可動支持部１４２には、ローラ１４４が設けられて、可動支持部１４２が構造体１６０に対して移動可能な構成としてもよい。
【００３９】
（第１の実施形態の構築方法）
次に、本発明の第１の実施形態に係る屋根架構の構築方法について説明する。図４は、本実施形態に係る屋根の構築方法を示すフローチャートである。図５は、本実施形態に係る屋根架構を示す側面図であり、屋根架構の構築経過を示す。図６は、本実施形態に係る屋根架構を示す斜視図であり、屋根架構の構築方法の一例を示す。
【００４０】
まず、梁材１０２、１０４、１０６、桁材１５０、束材１２０など屋根架構の各構成部材を組み立て前の状態で作業場所まで搬入する（ステップＳ１０１）。次に、搬入された梁材１０２、１０４、１０６、桁材１５０、束材１２０などを初期状態に組み立てる（ステップＳ１０２）。ここで、初期状態とは、図５（ａ）、図６Ａ（ａ）に示すような状態であり、梁材１０２、１０４、１０６は、支持部１４０、１４２よりも下方向で組み立てられる。従って、仮設足場を設置して屋根架構２００を組み立てる場合、仮設足場は、屋根架構２００の初期状態の下面まで組み上げればよい。また、初期状態では、可動支持部１４２は、構造体１６０上で梁側に設置される。
【００４１】
次に、ワイヤロープ２１０を梁材１０２と束材２２０に取り付ける（ステップＳ１０３）。ワイヤロープ２１０の一端部２１０ｂが梁材１０２と結合され、束材２２０に設けられた貫通孔２２２にワイヤロープ２１０を貫通させる。そして、ワイヤロープ２１０の他端部２１０ａをヒンジ１３０に対して反対側に位置する梁材１０４、１０６の端部方向、即ち支持部１４０、１４２の方向に引張り、テンションを導入する（ステップＳ１０４）。このとき、梁材１０２、１０４、１０６は、ヒンジ１３０と共に上昇する。例えば、図５（ｂ）、図６Ａ（ｂ）、（ｂ）に示すような状態で上昇する。
【００４２】
このとき、可動支持部１４２は、構造体１６０上で一旦梁から離れる方向に移動し（図５（ｂ））参照）、更にテンションを導入していくと再び梁の方向へ移動する（図５（ｃ））参照）（ステップＳ１０５）。また、ヒンジ１３０を中心に梁材１０２、１０４、１０６が回転する（ステップＳ１０６）。
【００４３】
そして、梁材１０２、１０４、１０６が設置位置に到達すると、ワイヤロープ２１０の端部２１０ａを梁材１０４、１０６と固定位置に固定させる（ステップＳ１０７）。その後、可動支持部１４２を固定することで、屋根架構の構築が完了する（ステップＳ１０８）。
【００４４】
上記のように、本実施形態によれば、梁を部品化して相互に接合するので、搬入が簡潔になる。また、仮設足場を従来よりも低い位置まで組み上げれば、その後は、ワイヤロープ２１０のテンション導入によって、梁材１０２、１０４、１０６を上昇させることができるため、仮設足場の設置が簡略化できる。更に、梁材１０２、１０４、１０６、束材２２０、ワイヤロープ２１０からなる張弦梁構造であるため、現場溶接が不要であり、屋根架構の構築作業が容易である。そして、梁材１０２、１０４、１０６の上昇時に、可動支持部１４２を移動させるため、構造体１６０に水平力が入力されない。そのため、構造体に負担をかけない屋根架構の構築を行うことができる。
【００４５】
次に、本実施形態に係る屋根架構の構築方法の変更例について説明する。図７は、本実施形態に係る屋根架構を示す斜視図であり、屋根架構の構築方法の変更例を示す。図８は、本実施形態に係る屋根架構の変更例を示す側面図であり、屋根架構の構築経過を示す。
【００４６】
図６では、屋根架構１００の屋根面が、梁部材１２、梁部材１４、梁部材１６の３つの領域に分けられる場合を説明したが、本発明はかかる例に限定されない。例えば、図７に示すように、屋根架構３００の梁の長軸方向と直行する方向に領域が分けられてもよい。即ち、屋根面は、梁部材１２、１４、１６で構成される領域（Ａ）と、梁部材２２、２４、２６で構成される領域（Ｂ）とに分けられる。
【００４７】
そして、この変更例では、屋根架構３００の構築方法は、まず、図７（ａ）から図７（ｄ）に示すように、Ａの領域のロッド１１０にテンションを導入して、Ａの領域の梁材１０２、１０４、１０６を上昇させる。そして次に、図７（ｅ）から図７（ｇ）に示すように、Ｂの領域のロッド１１０にテンションを導入して、Ｂの領域の梁材１０２、１０４、１０６を上昇させる。このように、複数の領域（例えば、Ａの領域、Ｂの領域）に分けることによって、ロッド１１０にテンションを導入して梁材１０２、１０４、１０６を上昇させるときの屋根面の重量を軽量化させることができる。その結果、屋根架構の構築をより容易に行うことができる。
【００４８】
また、上述の説明では、梁が梁材１０２、１０４、１０６と３つの梁材から構成される場合について説明したが、本発明はかかる例に限定されない。例えば、梁を構成する梁材の数は任意に決定することができ、例えば、図８に示す屋根架構４００では、梁は、梁部材４０１、４０２、４０３、４０４、４０５、４０６と６つの梁材から構成される。
【００４９】
そして、この変更例では、屋根架構４００の構築方法は、まず、図８（ａ）に示すように、屋根架構４００を初期状態に組み合わせる。そして、ワイヤロープ２１０の端部２１０ａを梁材４０３、４０４の端部方向に引っ張る。その結果、梁材４０１、４０２、４０３、４０４を上昇させることができる。その後、図８（ｂ）に示すように、ワイヤロープ２１０の端部２１０ａを梁材４０３、４０４に固定させる。
【００５０】
次に、図８（ｂ）に示すように、ワイヤロープ２１０の端部２１０ａを梁材４０５、４０６の端部方向に引っ張る。その結果、梁材４０１、４０２、４０３、４０４、４０５、４０６を上昇させることができる。その後、図８（ｃ）に示すように、ワイヤロープ２１０の端部２１０ａを梁材４０５、４０６に固定させる。
【００５１】
このように、梁材が多い構成であっても、仮設足場を従来よりも低い位置まで組み上げれば、その後は、ワイヤロープ２１０のテンション導入によって、梁材４０１、４０２、４０３、４０４、４０５、４０６を上昇させることができるため、仮設足場の設置が簡略化できる。
【００５２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５３】
例えば、ロッド１１０やワイヤロープ２１０は、梁材１０２、１０４、１０６の端部付近で接続される場合について説明したが、本発明はかかる例に限定されない。例えば、ロッド１１０やワイヤロープ２１０等のテンション材の端部は、梁材の中間部付近で接続されてもよい。図９は、本発明の第１の実施形態に係る屋根架構の変更例を示す側面図である。図９に示すように、梁材１０２は、中間部でガセットプレート１２４を介してロッド１１０を支持する。このとき、ロッド１１０は上述した実施形態よりも短い。
【００５４】
また、梁は、図２に示すように、梁が、梁の長軸方向に対して直交方向に互いに隣接して平行に複数設置される場合について説明したが、本発明はかかる例に限定されない。例えば、複数の梁は、放射状に配置されて、屋根架構の形状がドーム形状であるとしてもよいし、複数の梁は、長軸方向が互いに平行ではなく、それぞれ任意の方向に延設されるとしてもよい。
【００５５】
また、梁材は、側面から見て弓状又は「く」の字形状である場合について図示し説明したが、本発明はかかる例に限定されない。例えば、梁材は直線部材であり、屋根架構の形状が陸屋根形状であるとしてもよい。また、本発明は、梁材の形状や、梁材の配置を設計上任意に設定することで、任意の立体形状を有する屋根架構とすることができる。
【図面の簡単な説明】
【００５６】
【図１】本発明の第１の実施形態に係る屋根架構を示す側面図である。
【図２】同実施形態に係る屋根架構を示す平面図である。
【図３】同実施形態に係る屋根架構を示す断面図であり、梁の長軸方向に対して垂直に切断した図である。
【図４】同実施形態に係る屋根の構築方法を示すフローチャートである。
【図５】同実施形態に係る屋根架構を示す側面図であり、屋根架構の構築経過を示す。
【図６Ａ】同実施形態に係る屋根架構を示す斜視図であり、屋根架構の構築方法の一例を示す。
【図６Ｂ】同実施形態に係る屋根架構を示す斜視図であり、屋根架構の構築方法の一例を示す。
【図７Ａ】同実施形態に係る屋根架構を示す斜視図であり、屋根架構の構築方法の変更例を示す。
【図７Ｂ】同実施形態に係る屋根架構を示す斜視図であり、屋根架構の構築方法の変更例を示す。
【図７Ｃ】同実施形態に係る屋根架構を示す斜視図であり、屋根架構の構築方法の変更例を示す。
【図８Ａ】同実施形態に係る屋根架構の変更例を示す側面図であり、屋根架構の構築経過を示す。
【図８Ｂ】同実施形態に係る屋根架構の変更例を示す側面図であり、屋根架構の構築経過を示す。
【図９】同実施形態に係る屋根架構の変更例を示す側面図である。
【符号の説明】
【００５７】
１００、２００、３００、４００      屋根架構
１０２、１０４、１０６      梁材
１１０      ロッド
１１２、１２２      接合部材
１１４      ボルト接合
１２０、２２０      束材
１２４      ガセットプレート
１３０      ヒンジ
１４０      固定支持部
１４２      可動支持部
１４４      ローラ
１５０      桁材
１５２、１５４      接合プレート
１６０      構造体
２１０      ワイヤロープ
【図１】
0005283361.tif 000002
【図２】
0005283361.tif 000003
【図３】
0005283361.tif 000004
【図４】
0005283361.tif 000005
【図５】
0005283361.tif 000006
【図６Ａ】
0005283361.tif 000007
【図６Ｂ】
0005283361.tif 000008
【図７Ａ】
0005283361.tif 000009
【図７Ｂ】
0005283361.tif 000010
【図７Ｃ】
0005283361.tif 000011
【図８Ａ】
0005283361.tif 000012
【図８Ｂ】
0005283361.tif 000013
【図９】
0005283361.tif 000014